(57)【要約】【課題】  優先席に座っている人に対して、老人等が乗車してきたことを速やかに報せることが可能な自動アナウンスシステムを提供する。【解決手段】  音声発生部２１，２２と非接触ＩＣカードリーダ３１，３２と、音声発生部と非接触ＩＣカードリーダを制御する制御部１０とを備えた自動アナウンスシステムであって、音声発生部および非接触ＩＣカードリーダが車両の優先席および／または乗車口付近に設置されたことを特徴とし、制御部が非接触ＩＣカードリーダが受信した非接触ＩＣカード３０を携帯した者Ｐの非接触ＩＣカードからの情報を受け、音声発生部に情報に応じた音声を発声させることを特徴とする。【選択図】        図１
2005037786.tif 000002
【特許請求の範囲】
【請求項１】
音声発生手段と非接触ＩＣカードリーダと、前記音声発生手段と前記非接触ＩＣカードリーダを制御する制御部とを備えた自動アナウンスシステムにおいて、
前記音声発生手段および前記非接触ＩＣカードリーダは車両の優先席および／または乗車口付近に設置され、
前記制御部は、前記非接触ＩＣカードリーダが受信した非接触ＩＣカードを携帯した者の前記非接触ＩＣカードからの情報を受け、前記音声発生手段に前記情報に応じた音声を発声させることを特徴とした自動アナウンスシステム。
【請求項２】
前記情報が老人に係る情報または障害者に係る情報であることを特徴とする請求項１記載の自動アナウンスシステム。
【請求項３】
表示手段を備え、前記音声発生手段が前記情報に応じた音声を発声する際に、前記表示手段によっても注意を喚起することを特徴とする請求項１または２に記載の自動アナウンスシステム。
【発明の詳細な説明】
【技術分野】
【０００１】
本発明は、自動アナウンスシステムに関し、特に、公共交通機関における自動アナウンスシステムに関する。
【背景技術】
【０００２】
列車やバスなどの公共交通機関には優先席が設けられているが、必ずしも年寄りや身体の不自由な方のために使用されていない。そこで、老人がバスや電車に乗車したときに、周りへ報せる表示装置として、特許文献１に示される老人の年齢層の表示装置がある。この老人の年齢層の表示装置によれば、携帯または着用する身廻り品に、材質の違い、色彩の違い、形状の違い等による年令層の識別表示をし、これによって老人であることや高年齢層であることを、周りに報せている。
【０００３】
また、身体障害者においても、乗車時に周りに伝えることが要求される。特許文献２には、身体障害者用ワゲサ及びタスキが開示されている。この身体障害者用ワゲサ及びタスキによれば、周囲の人に身体障害者であることを認識させるようにワゲサやタスキを首や肩から掛けることで、目印として機能させ、周囲の人に注意を喚起する。
【０００４】
【特許文献１】特開平５−１５１４６８公報
【特許文献２】特開平８−２３２１０２公報
【発明の開示】
【発明が解決しようとする課題】
【０００５】
上記従来技術では、優先席に座っている人が老人等が携帯または着用する表示装置を直接見たり、身体障害者が首や肩に掛けているタスキ等を見上げる必要があった。このため、優先席に座っている人が下を向いて本を読んでいたり、居眠りをしている場合には、気付かれずに、老人等は座れずにいた。一方、現在行われている放送によるアナウンスは全車両に向けて行われるものであり、効率的でなく、効果が少なかった。
そこで、優先席に座っている人に老人等が乗車してきたことを速やかに、周りに報せる技術が従来から望まれていた。
【０００６】
本発明の目的は、上記の要望に応えるものであり、優先席に座っている人に対して、老人等が乗車してきたことを速やかに報せることが可能な自動アナウンスシステムを提供することにある。
【課題を解決するための手段】
【０００７】
本発明に係る自動アナウンスシステムは、上記目的を達成するために、次のように構成される。
【０００８】
本発明に係る第１の自動アナウンスシステム（請求項１に対応）は、音声発生部と非接触ＩＣカードリーダと、音声発生部と非接触ＩＣカードリーダを制御する制御部とを備えた自動アナウンスシステムであって、音声発生部および非接触ＩＣカードリーダが車両の優先席および／または乗車口付近に設置されたことを特徴とし、制御部が非接触ＩＣカードリーダが受信した非接触ＩＣカードを携帯した者の非接触ＩＣカードからの情報を受け、音声発生部に情報に応じた音声を発声させることを特徴とする。
【０００９】
上記の構成によれば、音声発生部および非接触ＩＣカードリーダを車両の優先席および／または乗車口付近に設置したので、優先席に座っている人に対し、速やかに音声で注意を促すことが可能となる。
【００１０】
本発明に係る第２の自動アナウンスシステム（請求項２に対応）は、上記の第１のシステム構成において、好ましくは、情報が老人に係る情報または障害者に係る情報であることで特徴づけられる。
【００１１】
本発明に係る第３の自動アナウンスシステム（請求項３に対応）は、上記の第１または第２のシステム構成において、好ましくは、表示部を備え、音声発生部が情報に応じた音声を発声する際に、表示部によっても注意を喚起することで特徴づけられる。
【発明の効果】
【００１２】
本発明によれば、次の効果を奏する。
【００１３】
本発明の自動アナウンスシステムは、音声発生部および非接触ＩＣカードリーダを車両の優先席および／または乗車口付近に設置したので、優先席に座っている人に対し、速やかに音声で注意を促すことができる。また、非接触ＩＣカードからの情報に応じて音声を発声させることができるので、様々な人に対応できる。さらに、表示部によって注意を喚起するので、老人等が乗車してきたことに気付かれないということがなくなる。
【発明を実施するための最良の形態】
【００１４】
以下に、本発明の好適な実施形態を添付図面に基づいて説明する。
【００１５】
以下、本発明を図示した好ましい一実施の形態に基づいて詳細に説明するが、本発明の技術的範囲は、添付図面に示された実施の形態に限定されるものではなく、特許請求の範囲に記載された範囲内において適宜変更が可能である。
【００１６】
図１は本発明に係る自動アナウンスシステムの全体構成図である。自動アナウンスシステムは、制御部１０、音声発生装置２１，２２、非接触ＩＣカードリーダ３１，３２から構成される。バスまたは電車等の車両１には、通常、老人、障害者、妊婦等のための優先席２，３が設けられている。この優先席２，３の近く、または乗降者口４，５の近くに音声発生装置２１，２２および非接触ＩＣカードリーダ３１，３２を設置する。非接触ＩＣカードリーダ３１は領域Ａ内に存在するＩＣカードに対してポーリングを行い、非接触ＩＣカードリーダ３２は領域Ｂ内に存在するＩＣカード３０に対してポーリングを行う。例えば、ＩＣカード３０を携帯する老人Pが乗車口４より乗車した際に、非接触ＩＣカードリーダ３２がＩＣカード３０に対してポーリングを行い、老人Pが携帯するＩＣカード３０より情報を取得する。
【００１７】
非接触ＩＣカードリーダ３１，３２は、ポーリングによってＩＣカード３０から情報を受信すると、制御部１０へ当該情報を送信する。制御部１０は情報に応じて、音声発声装置２１，２２へ音声情報を送信する。なお、非接触ＩＣカードリーダ３１がＩＣカード３０から情報を受信した場合には音声発生装置２１が音声を発声し、非接触ＩＣカードリーダ３２がＩＣカード３０から情報を受信した場合には音声発生装置２２が音声を発声する。音声発声装置２１，２２および非接触ＩＣカードリーダ３１，３２は、それぞれの領域が重複しないように配置される。
【００１８】
図２は本発明に係る自動アナウンスシステムのブロック構成図である。制御部１０は、音声発声装置２１，２２および非接触ＩＣカードリーダ３１，３２と情報の送受信をする送受信部１１と、非接触ＩＣカードリーダ３１，３２から受信した情報の種別を判断する種別判断部１２と、音声発声装置２１，２２から発声する音声情報を格納した音声情報データベース１３とを備える。
【００１９】
送受信部１１は非接触ＩＣカードリーダ３１，３２からＩＣカード３０の情報を受信し、音声発声装置２１，２２へ音声情報を送信する。種別判断部１２は非接触ＩＣカードリーダ３１，３２が受信したＩＣカードの情報を受信し、受信した情報の種別を判断する。音声情報データベース１３には、情報の種別に応じて音声情報を格納している。情報の種別としては、例えば、老人、身体障害者、妊婦等がある。これらの情報の種別に応じて、音声情報データベース１３には音声情報が格納されている。
【００２０】
ＩＣカード３０，３０’には、上述した種別に関する情報が記憶されている。非接触ＩＣカードリーダ３１，３２からのポーリングに応じて、種別に関する情報が非接触ＩＣカードリーダ３１，３２へ送信される。当該ＩＣカード３０，３０’は、種別に応じた人が携帯する。これにより、例えば、老人に係る情報を格納したICカードを携帯した老人が乗車口から乗車し、非接触ＩＣカードリーダ３１，３２がポーリングによってＩＣカード３０から情報を受信すると、音声発声装置２１，２２から「お年寄りがいらっしゃいます。席をお譲り下さい」等の発声がなされる。また、ＩＣカードが身体障害者に係る情報を有するものである場合には、「身体の不自由な方がいらっしゃいます。席をお譲り下さい」等の発声がなされる。
【００２１】
上述したように、アナウンスを行う場所が非接触ＩＣカードリーダがＩＣカードを検知した場所であり、従来のように、全車両に対しての放送ではなく、特定の場所でのアナウンスであるため、効果的に注意を促すことができる。また、同じ車両内であっても、優先席のある場所に応じて、検知したＩＣカードにより別々のアナウンスがなされるので、より効果的である。
【００２２】
図３は本発明に係る自動アナウンスシステムのフロー図である。非接触ＩＣカードリーダは一定の周期でポーリングをしており、ポーリングの際には特定の情報を持ったICカードに対して行っている（ステップS１０１）。特定の情報を持ったICカードが所定の領域に入ると、非接触ＩＣカードリーダからのポーリングに反応する（ステップS１０２）。所定の領域に特定の情報を持ったICカードがないときには、一定の周期でポーリングが行われ続ける（ステップS１０１）。ポーリングに反応すると、当該ICカードからの情報がどの種別であるかが、制御部１０の種別判断部１２で判断される（ステップS１０３）。種別が種別Aであれば、種別Aに対応するアナウンスが音声発声装置から発生される（ステップS１０４）。種別が種別Bであれば、種別Bに対応するアナウンスが音声発声装置から発生される（ステップS１０４）。種別としては上述したように、老人、身体障害者、妊婦等がある。
【００２３】
なお、上記実施形態において、ICカードおよびICカードリーダとした構成は、磁気カードと磁気カードリーダ、携帯型端末と端末認識装置等の他の手段であってもよい。また、音声でのアナウンスと共に光や表示部を用いて注意を促すことで、より効果的に席を譲ってもらうことができる。なお、種別は実施形態に例示したものに限られない。
【産業上の利用可能性】
【００２４】
本発明に係る自動アナウンスシステムは、公共交通機関や公共施設等における優先席付近に設けられ、老人、身体障害者、妊婦等が利用しやすいように利用される。
【図面の簡単な説明】
【００２５】
【図１】本発明に係る自動アナウンスシステムの全体構成図である。
【図２】本発明に係る自動アナウンスシステムのブロック構成図である。
【図３】本発明に係る自動アナウンスシステムのフロー図である。
【符号の説明】
【００２６】
１        車両
２，３    優先席
４，５    乗降者口
１０       制御部
１１       送受信部
１２       種別判断部
１３       音声情報データベース
２１，２２ 音声発生装置
３０       ＩＣカード
３１，３２ 非接触ＩＣカードリーダ
【図１】
2005037786.tif 000003
【図２】
2005037786.tif 000004
【図３】
2005037786.tif 000005